【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
軸線方向に延びる構成を持つ周囲水中展開用の流出封じ込めブームユニットであって、前記ブームユニットは、前記軸線方向に延びる構成の軸に直角な平面で中空チャンバを実質的に包囲する複数の区画の壁を持つ少なくとも１つの中空チャンバを形成するように構成された前記複数の区画の１つ以上の表面を備え、前記中空チャンバの少なくとも１つの壁がガスで充填された少なくとも第１の区画を含み、
前記ブームユニットは、スポンジ材料をさらに備え、前記スポンジ材料は、前記ブームユニットが展開されるときに周囲水に曝露される位置に提供されており、前記スポンジ材料は、前記ブームユニットが展開されたときに前記ブームユニットの形状の設置を助けるために好適であり、前記スポンジ材料は、周囲水の一部を吸収して形状を変化させ、それにより前記助けることをもたらし、前記前記スポンジ材料は、（ａ）少なくとも第２の区画の中に、及び／又は（ｂ）前記第１の区画と前記第２の区画の間に与えられている、ブームユニット。
【請求項２】
前記中空チャンバは、前記ブームユニットの構造が外部作用力に対して安定化するのを助けるように構成された、請求項１に記載のブームユニット。
【請求項３】
前記中空チャンバは複数の係止点によって画定され、前記係止点は、前記表面または表面の一部分の相互に対する少なくとも幾つかの動きを制限して、前記ブームユニットを安定した状態に維持し、かつ／または前記中空チャンバが開口することあるいは形状もしくは角度を変えることを防止する、請求項１および２のいずれかに記載のブームユニット。
【請求項４】
前記中空チャンバは、曲がるように適応されたブームユニットの一部分であって前記ブームの充填可能部分または充填部分より薄肉である複数の曲げ領域によって画定される、請求項１ないし３のいずれかに記載のブームユニット。
【請求項５】
前記ブームユニットの水面下部分は、Ｘ字状の断面形状に配された１つ以上のバラスト区画を含み、かつ前記ブームユニットの水上部分は１つ以上の浮揚区画を含む、請求項１〜４のいずれかに記載のブームユニット。
【請求項６】
前記ブームユニットはＡ字状の断面形状を画定し、１つ以上のバラスト区画は前記Ａの脚を形成し、かつ１つ以上の浮揚区画は、前記Ａの水平に延びる線を形成する、請求項１〜５のいずれかに記載のブームユニット。
【請求項７】
前記ブームユニットは、水中のＸ字様の交差部および水上の逆Ｖ字状の部分を含む断面形状を画定する、請求項１〜６のいずれかに記載のブームユニット。
【請求項８】
前記ブームユニットの区画間を接続するための少なくとも１つの接続要素を備え、前記接続要素は、ブームユニットの製造段階で挿置される要素を含み、かつブームユニットが展開されるときに係止されブームユニットを開いた状態に維持する機構を有する、請求項１〜７のいずれかに記載のブームユニット。
【請求項９】
前記スポンジ材料は、発泡材を含む、請求項１〜８のいずれかに記載のブームユニット。
【請求項１０】
前記発泡材によって解放されるエネルギーは、前記ブームユニットを扁平位置から三次元構造へと変化させるのに使用される、請求項１〜９のいずれかに記載のブームユニット。
【請求項１１】
前記中空チャンバは多角形の断面形状を含む、請求項１〜１０のいずれかに記載のブームユニット。
【請求項１２】
前記中空チャンバの形状は、前記中空チャンバの容積の中へ及び／又は前記中空チャンバの容積から外への周囲水の体積流入出を遅らせるのに好適である、請求項１〜１１のいずれかに記載のブームユニット。
【請求項１３】
前記中空チャンバの少なくとも１つの壁は、半剛性であるか、又は強化要素を含む、請求項１〜１２のいずれかに記載のブームユニット。
【請求項１４】
前記ブームユニットは、充填可能な区画をさらに含み、前記充填可能な区画は、前記ブームユニットが展開されて体積が少なくとも５倍に拡張したときに、水を吸収する吸水性材料を含む、請求項１ないし１３のいずれかに記載のブームユニット。
【請求項１５】
前記充填可能な区画は、少なくとも１つの多孔質壁または水の浸入を許容すると共に前記材料の漏出を防止する大きさの開口を持つ壁を含む、請求項１４に記載のブームユニット。
【請求項１６】
前記開口の少なくとも一部は布に設けられる、請求項１５に記載のブームユニット。
【請求項１７】
前記開口の少なくとも一部は、前記充填可能な区画が一杯になると自閉する開閉自在な弁の形を取る、請求項１５に記載のブームユニット。
【請求項１８】
前記吸水性材料はバックボーンに取り付けられて提供される、請求項１４ないし１７のいずれかに記載のブームユニット。
【請求項１９】
前記吸水性材料は前記充填可能な区画の壁に接着されて提供される、請求項１４ないし１８のいずれかに記載のブームユニット。
【請求項２０】
前記吸水性材料は多孔質パケットに入れて提供される、請求項１４ないし１９のいずれかに記載のブームユニット。
【請求項２１】
前記吸水性材料は吸収促進材と混合される、請求項１４ないし２０のいずれかに記載のブームユニット。
【請求項２２】
前記少なくとも１つの充填可能な区画は、前記中空チャンバを開いた状態に維持するための剛性フレームを画定するためのビームとして働く、請求項１ないし２１のいずれかに記載のブームユニット。
【請求項２３】
前記ブームユニットが展開されたときに、前記ユニットの安定性が増大するように、前記中空チャンバは周囲水の動きを少なくとも部分的に制限する、請求項１ないし２２のいずれかに記載のブームユニット。
【請求項２４】
前記ブームユニットは水中部分と水上部分とを備え、前記中空チャンバは前記水中部分および前記水上部分の一方または両方に構成され、前記水中部分は水面から２０〜５０ｃｍ下の距離まで延びる、請求項１ないし２３のいずれかに記載のブームユニット。
【請求項２５】
区画の間に、または区画内もしくは区間間の剛性もしくは半剛性要素の間に、少なくとも１つの引張り要素を備え、それは前記中空チャンバを開いた状態に維持するのを助ける、請求項１ないし２４のいずれかに記載のブームユニット。
【請求項２６】
前記中空チャンバは数学的表面を持つジオメトリを画定し、前記中空チャンバは中空チャンバの実際の内面を画定する壁によって包囲され、前記内面は中空チャンバの幾何学的表面の５％から５０％の間の開口面積を含む、請求項１ないし２５のいずれかに記載のブームユニット。
【請求項２７】
前記中空チャンバを形成しない１つ以上の追加の充填可能な区画をさらに備えた、請求項１ないし２６のいずれかに記載のブームユニット。
【請求項２８】
前記中空チャンバは三角形の断面形状を含む、請求項１〜２７のいずれかに記載のブームユニット。
【請求項２９】
前記ブームユニットが展開されるときに、前記中空チャンバは、１つ以上の開口を画定し、そこを介して周囲水は流動することができ、前記チャンバは、中に含まれるある量の周囲水の動きを妨害する大きさに作られており、前記量は、前記ブームユニットを安定化させるのに充分である、請求項１〜２８のいずれかに記載のブームユニット。
【請求項３０】
塩水を吸収したときに体積が少なくとも５倍に拡張する材料を含む少なくとも１つの充填可能な区画を備えたブームユニットであって、前記材料が、充填可能な区画内の材料の動きを防止する構造と共に前記充填可能な区画内に配された、ブームユニット。
【請求項３１】
前記構造は、前記吸水性材料の粒子を付着させた前記充填可能な区画の壁を含む、請求項３０に記載のブームユニット。
【請求項３２】
前記構造は、前記吸水性材料を接着させたインサートを含む、請求項３０および３１のいずれかに記載のブームユニット。
【請求項３３】
前記構造は、多孔質材料から形成されたインサートを含み、その中に前記材料が含まれ、それは水の浸入を許容すると共に吸水性材料の漏出を防止し、かつ材料が挿入される充填可能な区画のジオメトリに対応するジオメトリを有する、請求項３０ないし３２のいずれかに記載のブームユニット。
【請求項３４】
前記充填可能な区画は少なくとも１つの剛性または半剛性の壁を含む、請求項３０ないし３３のいずれかに記載のブームユニット。
【請求項３５】
前記壁は、壁に形成された水浸入用のアパーチャを少なくとも１つ有する、請求項３４に記載のブームユニット。
【請求項３６】
少なくとも１つの可撓性壁と、材料が充分な海水を吸収したときに前記壁の膨張を引き起こすのに充分な材料とを含む、請求項３４または３５に記載のブームユニット。
【請求項３７】
前記充填可能な区画は、多孔質材料から形成された壁を少なくとも含む、請求項３０ないし３６のいずれかに記載のブームユニット。
【請求項３８】
前記ブームユニットはＸ字状の断面形状を含み、前記吸水性材料は超吸収性ポリマー（ＳＡＰ）である、請求項３０ないし３７のいずれかに記載のブームユニット。
【請求項３９】
前記構造はインサートを含み、前記インサートは前記充填可能な区画の容積と略同一またはそれより大きい体積を有する、請求項３０ないし３８のいずれかに記載のブームユニット。
【請求項４０】
前記材料は、充填可能な区画に整合するパターンで充填可能な区画の内壁の８０％未満に接着剤を噴霧し次いで材料を追加するプロセスを用いて、前記充填可能な区画の壁に接着される、請求項３０ないし３７のいずれかに記載のブームユニット。
【請求項４１】
前記吸水性材料は、接着剤を用いて付着される、請求項３０ないし４０のいずれかに記載のブームユニット。
【請求項４２】
前記構造はインサートを含み、前記インサートは、前記材料を付着かつ／または挿入させた圧縮可能な開放セル構造を含む、請求項３０ないし３８のいずれかに記載のブームユニット。
【請求項４３】
前記吸水性材料と混合または隣接した発熱性材料を含み、それは塩水に接触したときに熱を発生し、前記発熱性材料は、吸水性材料および／または周囲水を加熱して吸水速度を少なくとも３０％高めるのに充分な量で含有される、請求項３０ないし４２のいずれかに記載のブームユニット。
【請求項４４】
前記ブームユニットの前記充填可能な区画は実質的に吸水性材料および／または関連構造のみを含み、ブームユニットは追加の区画を含まない、請求項３０ないし４２のいずれかに記載のブームユニット。
【請求項４５】
前記ブームユニットの前記水上部分はブームユニットの前記水面下部分を水面に対して直角位置に維持する、請求項３０ないし４４のいずれかに記載のブームユニット。
【請求項４６】
前記充填可能な区画の１つ以上が、水を吸収したときに凝固して前記充填可能な区画の容積より少なくとも１％ないし５％大きい体積になって前記充填可能な区画の内壁に圧力を加え、それにより前記充填可能な区画の剛性を高める量のＳＡＰを含有する、請求項３８に記載のブームユニット。
【請求項４７】
ＳＡＰを含有した前記１つ以上の充填可能な区画に複合材繊維を添加してブームユニットの重量を増大させた、請求項３８に記載のブームユニット。
【請求項４８】
ブームユニットの浮力の少なくとも５０％を提供するのに充分な量のガスを含む少なくとも１つの事前充填されかつ封止されたチャンバを備えたブームユニット。
【手続補正２】
【補正対象書類名】明細書
【補正対象項目名】０２３０
【補正方法】変更
【補正の内容】
【０２３０】
最下部のスカートセグメント２５８は任意選択的にヒンジ２５６に取り付けられた状態で提供され、バランスを保つように提供される。本発明の一部の実施形態では、装置の左側のセグメント２５８は、右側のセグメント２５４の延長部であり、その逆も同様であることに留意されたい。図示する実施形態でも、これが当てはまる。しかし、任意選択的に、左側のセグメント２５８は、（例えば連続シートから形成された）左側のセグメント２５４に隣接している。